(57)【特許請求の範囲】
【請求項１】
筐体内部を仕切板により機械室と熱交換器室に仕切り、機械室に圧縮機、熱交換器室に熱交換器やファンを設置し、さらに前記仕切板に機械室側から熱交換器室側へ突出するとともに、機械室側に開放された部品収納室を設け、この部品収納室の内部に圧縮機の速度制御に伴って発熱するインバータ装置におけるリアクター、もしくはアクティブフィルター用コイルを収納した空気調和機の室外ユニットにおいて、前記部品収納室は前記機械室側以外の側面と上面が閉塞されてなり、前記インバータ装置におけるリアクター、もしくはアクティブフィルターコイルは前記部品収納室の側面のうち前記熱交換器室側へ突出した突出面に取付けられ、該突出面の下方に通気孔を設け、前記部品収納室の内部であって前記通気孔のわずか上方に水平方向に遮蔽板を設けることにより、この通気孔を介して前記熱交換器室と前記機械室とを連通する通気路を形成するとともに、前記通気路から前記インバータ装置におけるリアクター、もしくはアクティブフィルター用コイルを隔離したことを特徴とする空気調和機の室外ユニット。
【発明の詳細な説明】
【０００１】
【発明の属する技術分野】
本発明は、空気調和機の室外ユニットに関するものである。
【０００２】
【従来の技術】
図１は、一般的な空気調和機の室外ユニットの断面図を示している。室外ユニットの筐体１の内部は仕切板２によって左右に仕切られ、その片側に機械室３が、もう片側に熱交換器室４が形成されている。機械室３の下方には、圧縮機６、冷媒配管１３などの冷凍サイクル部品が配設されている。機械室３の上方には、圧縮機６の速度制御装置などの電気部品を内蔵する電装ボックス５が配設されている。熱交換器室４内には熱交換器８、プロペラファン９などが配設されている。
【０００３】
図７は、仕切板２の下方の構造を分解して示す斜視図である。仕切板２の下方には、開口部１３が矩形に切り欠かれている。この開口部１３の周囲に設けられた数箇所のネジ孔１４に、部品収納室としての箱型の保護カバー１０がネジ止めされて機械室３側から熱交換器室４側に突出している。
【０００４】
保護カバー１０は、機械室３側の面と底面が開放されており、突出面１０ａに圧縮機６の速度制御装置のうち他の電装部品と比較して大きくかつ発熱する部品であるインバータ装置のリアクターもしくは、アクティブフィルター用コイルなどのコイル部品７がネジ止めされている。保護カバー１０の突出面１０ａの下方には、複数の通気孔１１が設けられている。保護カバー１０の内部空間は機械室３側に開放されているので、これらの通気孔１１を介して機械室３と熱交換器室４は連通し、保護カバー１０の内部の空間全体が通気孔１１を通って流通する空気の通気路となる。これにより、コイル部品７を省スペースに室外ユニットに収納することができるとともに、熱交換器室４内の保護カバー１０を介してコイル部品７を冷却することができる。
【０００５】
ここで、通気孔１１を保護カバー１０の下方に設けたのは次のような理由からである。すなわち、通気孔１１が高い位置に配設されていると、プロペラファン９の回転によって飛ばされた雨水が通気孔１１を通って保護カバー１０内部に侵入しやすく、しかも保護カバー１０内部の通気路中にコイル部品７が隔離されることなく設置されているため、コイル部品７に水が掛かって濡れ、絶縁不良などの悪い影響が出るおそれがあるからである。
【０００６】
そこで、保護カバー１０の下方に通気孔１１を設けることにより、プロペラファン９によって飛び散る水が部品収納室に入りにくくしている。しかし、完全に雨水の侵入を防止することができないため、雨水からコイル部品７を保護することが必要であった。しかも、通気孔１１が保護カバー１０の底部に近い位置にあるため、熱交換器室４内に溜まった雨水が通気孔１１を通って保護カバー１０内に流入しやすくなるという問題もあった。
【０００７】
本発明は、このような問題に鑑みてなされたものであり、部品収納室に収納された発熱量の比較的高い部品を雨水から保護することができる空気調和機の室外ユニットを提供することを目的とする。
【０００８】
【課題を解決するための手段】
上記目的を達成するために本発明は、筐体内部を仕切板により機械室と熱交換器室に仕切り、機械室に圧縮機、熱交換器室に熱交換器やファンを設置し、さらに前記仕切板に機械室側から熱交換器室側へ突出するとともに、機械室側に開放された部品収納室を設け、この部品収納室の内部に圧縮機の速度制御に伴って発熱するインバータ装置におけるリアクター、もしくはアクティブフィルター用コイルを収納した空気調和機の室外ユニットにおいて、前記部品収納室は前記機械室側以外の側面と上面が閉塞されてなり、前記インバータ装置におけるリアクター、もしくはアクティブフィルターコイルは前記部品収納室の側面のうち前記熱交換器室側へ突出した突出面に取付けられ、該突出面の下方に通気孔を設け、前記部品収納室の内部であって前記通気孔のわずか上方に水平方向に遮蔽板を設けることにより、この通気孔を介して前記熱交換器室と前記機械室とを連通する通気路を形成するとともに、前記通気路から前記インバータ装置におけるリアクター、もしくはアクティブフィルター用コイルを隔離したことを特徴としている。
【０００９】
これにより、通気孔を通って機械室に侵入する雨水が部品収納室内部の部品に付くことを防止することができる。
【００１１】
【発明の実施の形態】
以下、本発明の実施形態について図面を参照して説明する。図１は、空気調和機の室外ユニットの断面図である。室外ユニットの筐体１の内部は仕切板２によって左右に仕切られ、その片側に機械室３が、もう片側に熱交換器室４が形成されている。機械室３の下方には、圧縮機６、冷媒配管１３などの冷凍サイクル部品が配設されている。機械室３の上方には、圧縮機６の速度制御装置などの電気部品を内蔵する電装ボックス５が配設されている。熱交換器室４内には熱交換器８、プロペラファン９などが配設されている。
【００１２】
図２は、仕切板２の下方の構造を分解して示す斜視図であり、図３は、その部品収納室を前から見た平面図であり、そして図４は、その部品収納室を機械室側から見た平面図である。仕切板２の下部は、プロペラファン９による冷却風の下流側に開口部１３が矩形に切り欠かれている。この開口部１３の周囲に設けられた数箇所のネジ孔１４に、部品収納室を形成する箱型の保護カバー１０がネジ止めされて機械室３側から熱交換器室４側に突出している。
【００１３】
保護カバー１０の突出面１０ａの下方には、複数の通気孔１１が設けられている。保護カバー１０の内部空間は機械室３側に開放されているので、通気孔１１を介して機械室３と熱交換器室４は連通することになる。そして、保護カバー１０の内部にコの字型の遮蔽板１２を設けて、通気路１５を形成している。この遮蔽板１２の上面１２ａは、通気孔１１のわずか上方から水平方向に延びている。
【００１４】
保護カバー１０は、機械室３側の面と底面が開放されており、突出面１０ａに圧縮機６の速度制御装置のうち他の電装部品と比較して大きくかつ発熱する部品であるインバータ装置のリアクターもしくは、アクティブフィルター用コイルなどのコイル部品７がネジ止めされている。これにより、コイル部品７を省スペースに室外ユニットに収納することができるとともに、熱交換器室４内の保護カバー１０を介してコイル部品７を冷却することができる。しかも、保護カバー１０が圧縮機６側に開放しているので、リアクターとインバータ装置の接続配線を機械室３内で行うことができ、雨風に配線がさらされることがなく、寿命を長くすることができる。また、通気路１５よりコイル部品７を隔離している。
【００１５】
空気調和機の運転時、プロペラファン９が駆動すると、熱交換器８を冷却するプロペラファン９による冷却風が通気孔１１から通気路１５を通って機械室３側へと送られる。これにより、コイル部品７や圧縮機６を強制的に冷却することができる。また、保護カバー１０の下部に遮蔽板１２を設けているので、通気孔１１を通って通気路１５に浸入する雨水がコイル部品７に付いて濡らすことを防止できる。
【００１６】
なお、保護カバー１０をプロペラファン９による冷却風の上流側に設けてもよい。この場合は、部品収納室が負圧になるため、通気路１５を通して通気孔１１から熱交換器室４側に流れる空気流を作って、コイル部品７や圧縮機６を強制冷却することができる。また、保護カバー１０の内部に設ける部品は、コイル部品に限られず、圧縮機の速度制御に伴って発熱する発熱量の比較的高い部品であればよく、いずれの部品の場合も上記と同様の効果が得られる。また、部品収納室は、図５および図６に示すように、仕切板２の絞り加工により仕切板２と一体ものとして形成してもよい。
【００１７】
【発明の効果】
以上述べたように本発明によれば、仕切板に形成した部品収納室に通気孔を設けて機械室と熱交換器室を連通する通気路からコイル部品を隔離する遮蔽板を設けたので、通気路を通過する冷却風によって機械室側が強制冷却され、部品収納室の温度上昇をより確実に防止できるとともに、通気孔を通って通気路に侵入する雨水からコイル部品を保護することができる。
【図面の簡単な説明】
【図１】  一般的な空気調和機の室外ユニットの断面図である。
【図２】  部品収納室の分解図である。
【図３】  その部品収納室を前から見た平面図である。
【図４】  その部品収納室を機械室側から見た平面図である。
【図５】  仕切板の絞り加工により部品収納室を仕切板と一体形成した例を示しており、前から見た平面図である。
【図６】  その部品収納室を機械室側から見た平面図である。
【図７】  従来の部品収納室の分解図である。
【符号の説明】
１      筐体
２      仕切板
３      機械室
４      熱交換器室
５      電装ボックス
６      圧縮機
７      コイル部品（発熱量の比較的高い部品）
８      熱交換器
９      プロペラファン
１０    保護カバー
１１    通気孔
１２    遮蔽板
１５    通気路
【図１】
0003946056.tif 000002
【図２】
0003946056.tif 000003
【図３】
0003946056.tif 000004
【図４】
0003946056.tif 000005
【図５】
0003946056.tif 000006
【図６】
0003946056.tif 000007
【図７】
0003946056.tif 000008